(57)【要約】      （修正有）【課題】隠蔽はがきの利便性の向上と、機密情報の柔軟且つ適切な保護を実現する。【解決手段】隠蔽はがきは、６つの葉書サイズの紙片１１〜１６がその紙片の短辺方向に直列に連結されたシート１０を備え、再剥離性粘着剤によって、シート１０を構成する各々の紙片１１〜１６のうち中央に位置する２つの紙片１３，１４の隣り合う一方の面を除いて、各々の紙片１１〜１６の片面と各々の紙片に隣接する他の紙片の片面とが接着されている。その上で、再剥離性粘着剤によって接着されない２つの紙片１３，１４のうちの１つの紙片上に情報記入欄が設けられるとともに、再剥離性粘着剤によって接着されない一方端の紙片１１上に、再剥離再貼付剤又は再剥離再貼付層を備えた情報保護シートが分離可能に貼り合わされている。【選択図】図４
0003147846.tif 000002
【実用新案登録請求の範囲】
【請求項１】
６つの葉書サイズの紙片が前記紙片の短辺方向に直列に連結されたシートを備え、
再剥離性粘着剤によって、前記シートを構成する前記各々の紙片のうち中央に位置する２つの紙片の隣り合う一方の面を除いて、前記各々の紙片の片面と前記各々の紙片に隣接する他の紙片の片面とが接着され、
再剥離性粘着剤によって接着されない前記２つの紙片のうちの一方の紙片上に情報記入欄が設けられるとともに、再剥離性粘着剤によって接着されない一方端又は両端の紙片上に再剥離再貼付粘着剤又は再剥離再貼付粘着層を備えた情報保護シートが分離可能に貼り合わされた
隠蔽はがき。
【請求項２】
６つの葉書サイズの紙片が前記紙片の短辺方向に直列に連結されたシートを備え、
再剥離性粘着剤によって、前記シートを構成する前記各々の紙片のうち中央に位置する２つの紙片の隣り合う一方の面を除いて、前記各々の紙片の片面と前記各々の紙片に隣接する他の紙片の片面とが接着され、
再剥離性粘着剤によって接着されない前記２つの紙片のうちの一方の紙片上に返信用はがき用の返信先住所欄及び情報記入欄が設けられるとともに、再剥離性粘着剤によって接着されない一方端又は両端の紙片上に再剥離再貼付粘着剤又は再剥離再貼付粘着層を備えた情報保護シートが分離可能に貼り合わされた
隠蔽はがき。
【請求項３】
６つの葉書サイズの紙片が前記紙片の短辺方向に直列に連結されたシートを備え、
再剥離性粘着剤によって、前記シートを構成する前記各々の紙片のうち中央に位置する２つの紙片の隣り合う一方の面を除いて、前記各々の紙片の片面と前記各々の紙片に隣接する他の紙片の片面とが接着され、
再剥離性粘着剤によって接着されない前記２つの紙片のうちの一方の紙片上に返信用はがき用の返信先住所欄及び情報記入欄が設けられるとともに、前記２つの紙片のうちの他方の紙片上に再剥離再貼付粘着剤又は再剥離再貼付粘着層を備えた情報保護シートが分離可能に貼り合わされた
隠蔽はがき。
【請求項４】
６つの葉書サイズの紙片が前記紙片の短辺方向に直列に連結されたシートを備え、
再剥離性粘着剤によって、前記シートを構成する前記各々の紙片のうち中央に位置する２つの紙片の隣り合う一方の面を除いて、前記各々の紙片の片面と前記各々の紙片に隣接する他の紙片の片面とが接着され、
再剥離性粘着剤によって接着されない前記２つの紙片のうちの一方の紙片上に情報記入欄が設けられるとともに、前記情報記入欄が設けられた紙片に近い方の再剥離性粘着剤によって接着されない一方端の紙片上に再剥離再貼付粘着剤又は再剥離再貼付粘着層を備えた情報保護シートが分離可能に貼り合わされた
隠蔽はがき。
【請求項５】
６つの葉書サイズの紙片が前記紙片の短辺方向に直列に連結されたシートを備え、
再剥離性粘着剤によって、前記シートを構成する前記各々の紙片のうち中央に位置する２つの紙片の隣り合う一方の面を除いて、前記各々の紙片の片面と前記各々の紙片に隣接する他の紙片の片面とが接着され、
再剥離性粘着剤によって接着されない前記２つの紙片のうちの一方の紙片上に返信用はがき用の返信先住所欄及び情報記入欄が設けられるとともに、前記情報記入欄が設けられた紙片に近い方の再剥離性粘着剤によって接着されない一方端の紙片上に再剥離再貼付粘着剤又は再剥離再貼付粘着層を備えた情報保護シートが分離可能に貼り合わされた
隠蔽はがき。
【請求項６】
前記情報記入欄が設けられる紙片以外の紙片上にさらに前記情報記入欄が１個又は複数個設けられるとともに、前記情報保護シートが、前記情報記入欄の数に応じて前記一方端又は前記両端の紙片上及び／又は再剥離性粘着剤によって接着されない前記２つの紙片の少なくとも一方の紙片上に１個又は複数個設けられる
請求項１に記載の隠蔽はがき。
【請求項７】
前記情報記入欄が設けられる紙片以外の紙片上にさらに前記情報記入欄が１個又は複数個設けられるとともに、前記情報保護シートが、前記情報記入欄の数に応じて前記一方端又は前記両端の紙片上及び／又は再剥離性粘着剤によって接着されない前記２つの紙片の少なくとも一方の紙片上に１個又は複数個設けられる
請求項２に記載の隠蔽はがき。
【考案の詳細な説明】
【技術分野】
【０００１】
本考案は、広告や個人情報等の重要情報を隠蔽することができる往復はがきに関する。
【背景技術】
【０００２】
従来から、葉書に印刷される広告や個人情報等の重要情報を保護しながら送付することができる隠蔽はがきが採用されている。例えば、表面が往信用葉書の宛名面で裏面が返信用葉書の文面である第１紙片と、表面が往信用葉書の文面で裏面が返信用葉書の宛名面である第２紙片と、表裏面に再剥離接着剤が塗布された接着紙片を備えた特許文献１に記載の技術が開示されている。
【０００３】
この特許文献１に記載の技術は、第１紙片の表面と第２紙片の表面とが表示されるように３枚の紙片形状に貼り合わせた後、巻き三つ折りをすることにより往信用葉書として形成される。また、往信用葉書として利用された葉書を展開した後、第１紙片の裏面と第２紙片の裏面とが表示されるように３枚の紙片形状に貼り合わせた後、巻き三つ折りをすることにより返信用葉書として形成される。
【０００４】
また、本願考案者が考案者である過去の出願で、折り込み部分の厚みを低減できる少なくとも６つの葉書サイズの紙片が連結される隠蔽はがきが開示されている（特許文献２参照）。
【特許文献１】実用新案登録第３１３８０１４号公報
【特許文献２】実用新案登録第３１４２１７５号公報
【考案の開示】
【考案が解決しようとする課題】
【０００５】
しかしながら、上記特許文献１に記載の技術では、３枚の紙片形状に貼り合わせた後、巻き三つ折りをすることにより葉書を形成しているため、折り込み部分に厚みが生じ、特に６つ以上の葉書サイズの紙片で葉書を形成することが困難であるという問題が生じる。
【０００６】
また、上記特許文献２に記載の葉書では、一旦、その接着状態が解かれた後は、法令により又は倫理上機密を保持すべき個人情報に代表される重要情報を適切に保護することができないという問題があった。
【０００７】
本考案は、上述の問題を解決するものであり、隠蔽はがき、特に往復はがきの隠蔽はがきの利便性の向上と、機密情報の柔軟且つ適切な保護の実現に大きく寄与するものである。本考案者は、隠蔽はがきの更なる利便性向上と、適用できる用途の拡大を実現すべく試行錯誤した結果、本考案を創出するに至った。
【課題を解決するための手段】
【０００８】
本考案の１つの隠蔽はがきは、６つの葉書サイズの紙片がその紙片の短辺方向に直列に連結されたシートを備えている。その上で、本考案の１つの隠蔽はがきは、再剥離性粘着剤によって、前述のシートを構成する前述の各々の紙片のうち中央に位置する２つの紙片の隣り合う一方の面を除いて、その各々の紙片の片面とその各々の紙片に隣接する他の紙片の片面とが接着され、再剥離性粘着剤によって接着されない前述の２つの紙片のうちの１つの紙片上に個人情報等の重要な情報を記入する欄が設けられるとともに、再剥離性粘着剤によって接着されない一方端又は両端の紙片上に再剥離再貼付粘着剤又は再剥離再貼付粘着層を備えた情報保護シートが分離可能に貼り合わされる。
【０００９】
この隠蔽はがきによれば、片面で６面、全面では１２面もの十二分の記載スペースがあるため、情報保護シートの存在によって記載量が低下したとしても、なお十分に広い記載スペースを有している。換言すれば、この隠蔽はがきを採用すれば、その保護シートの大きさの制限が大きく緩和されるとともに、その保護シートの面積がたとえ従来よりも大幅に拡大されたとしても、なお多くの情報を記入できるスペースを得ることができる。また、この隠蔽はがきは、一旦、その接着状態が解かれた後でも重要情報を適切に保護することができる。なお、両端の紙片上に情報保護シートを設ければ、複数個所の重要情報の隠蔽や、より広いスペースの重要情報の隠蔽が可能となるため自由度と保護範囲の柔軟性の向上を図ることができる。
【００１０】
なお、返信はがきであることが使用者に認識できる紙片と同じ紙片上に情報記入欄が設けられることにより、より確度高く重要情報を記入すべきことを使用者に注意喚起することができる。
【００１１】
本考案のもう１つの隠蔽はがきは、６つの葉書サイズの紙片がその紙片の短辺方向に直列に連結されたシートを備えている。その上で、再剥離性粘着剤によって、前述のシートを構成する前述の各々の紙片のうち中央に位置する２つの紙片の隣り合う一方の面を除いて、その各々の紙片の片面とその各々の紙片に隣接する他の紙片の片面とが接着され、再剥離性粘着剤によって接着されない前述の２つの紙片のうちの１つの紙片上に返信用はがき用の返信先住所欄及び個人情報等の重要な情報を記入する欄が設けられるとともに、前述の２つの紙片のうちの他方の紙片上に再剥離再貼付粘着剤又は再剥離再貼付粘着層を備えた情報保護シートが分離可能に貼り合わされる。
【００１２】
この隠蔽はがきによれば、片面で６面、全面では１２面もの十二分の記載スペースがあるため、情報保護シートの存在によって記載量が低下したとしても、なお十分に広い記載スペースを有している。換言すれば、この隠蔽はがきを採用すれば、その保護シートの大きさの制限が大きく緩和されるとともに、その保護シートの面積がたとえ従来よりも大幅に拡大されたとしても、なお多くの情報を記入できるスペースを得ることができる。加えて、この隠蔽はがきは、返信はがきであることが使用者に直ぐに認識できる紙片と同じ紙片上に情報記入欄が設けられ、且つそれと隣り合う見開き面に情報保護シートが設けられている。従って、この隠蔽はがきは、重要情報を記入すべきことを使用者に注意喚起するとともに、重要情報が記入され、隠蔽はがきの接着状態が解かれた後であっても、隣り合う紙片上に設けられた情報保護シートを利用して容易にその重要情報を隠蔽して保護することができる。
【００１３】
なお、上述の各発明において、再剥離性粘着剤によって接着されない上述の２つの紙片のうちの一方の紙片上に情報記入欄が設けられるとともに、その情報記入欄が設けられた紙片に近い方の再剥離性粘着剤によって接着されない一方端の紙片上に再剥離再貼付粘着剤又は再剥離再貼付粘着層を備えた情報保護シートが分離可能に貼り合わされることは好ましい一態様である。これは、隠蔽はがきの接着が解かれて展開される前であっても、情報保護シートが、情報記入欄を設けた紙片に近い方の一方端の紙片上に配置されているため、使用者にとってはすこぶる使い勝手が良いからである。また、情報保護シートが、再剥離性粘着剤によって圧着されていない紙片上に配置されることにより、隠蔽はがきの製造作業を容易にすることができる。
【考案の効果】
【００１４】
本考案の１つの隠蔽はがきによれば、情報保護シートの大きさの制限が大きく緩和されるとともに、その保護シートの面積がたとえ従来よりも大幅に拡大されたとして、なおも多くの情報を記入できるスペースを得ることができる。また、この隠蔽はがきは、一旦、その接着状態が解かれた後でも重要情報を適切に保護することができる。
【００１５】
本考案のもう１つの隠蔽はがきによれば、前述の効果に加え、重要情報を記入すべきことを使用者に注意喚起するとともに、重要情報が記入され、隠蔽はがきの接着状態が解かれた後であっても、隣り合う紙片上に設けられた情報保護シートを利用して容易にその重要情報を隠蔽して保護することができる。
【考案を実施するための最良の形態】
【００１６】
つぎに、本考案の実施形態を、添付する図面に基づいて詳細に述べる。尚、この説明に際し、全図にわたり、特に言及がない限り、共通する部分には共通する参照符号が付されている。また、各図面を見やすくするために、本実施形態の各要素は必ずしもスケール通りに示されていない。また、同様の理由により、一部の符号が省略されうる。
【００１７】
＜第１の実施形態＞
図１Ａは、第１の実施形態に係る隠蔽はがき１を示す斜視図である。図１Ｂは、図１ＡのＸ部の拡大図である。また、図２は、隠蔽はがき１を展開した状態の表面図であり、図３は、隠蔽はがき１を展開した状態の裏面図である。さらに、図４は、シート１０の折れ線３１〜３５に折り目が付される状態を示す図である。
【００１８】
本実施形態の隠蔽はがき１は、６つの葉書サイズの紙片１１〜１６が短辺方向に連結されたシート１０と、ある１つの紙片の片面とその紙片に隣接する他の紙片の片面とを接着する透明な再剥離性粘着剤２０とを備える。ここで、本実施形態の再剥離性粘着剤２０には、公知の材料が適用され得る。公知の再剥離性粘着剤の一例として、特開平１１−２８６１９１号公報に開示される接着剤が挙げられる。なお、再剥離性粘着剤２０は、通常の状態では接着しないが、接着剤層同士を対向させた状態で加圧することによって接着性が生じる一方、接着後は再剥離が可能な材料である。従って、各図面において再剥離性粘着材２０が図示されているが、実際には、紙片同士の圧着によって実質的に視認されない状態になる。
【００１９】
また、本実施形態のシート１０は、連結される６つの葉書サイズの紙片１１〜１６のうち、３つの紙片１４，１５，１６は往信用であり、残る３つの紙片１１，１２，１３は返信用とする往復はがきである。これらの紙片１１〜１６は、それぞれ表面１１Ａ〜１６Ａと裏面１１Ｂ〜１６Ｂとを備える。また、これらの紙片１１〜１６の境界には、折り目３１〜３５が設けられている。なお、好ましくは、往信用の紙片１４，１５，１６と返信用の紙片１１，１２，１３との境界に設けられる折り目３３に、ミシン目状の孔の列が形成される。このように、折り目３３にミシン目状の孔の列を形成することにより、往信用の紙片と返信用の紙片とを容易に切り離すことができる。なお、本実施形態の隠蔽はがき１の１つの紙片の長辺の長さは約１４８ｍｍであり、その短辺の長さは約９９ｍｍである。
【００２０】
上述のとおり、再剥離性粘着剤２０は、シート１０を構成する任意の１つの紙片の片面とその紙片に隣接する他の紙片の片面とを剥離可能に接着する。具体的には、図４に示すように、紙片１１の表面１１Ａと紙片１２の表面１２Ａは、それらの間に再剥離性粘着剤２０が介在することによって圧着される。同様に、紙片１２の裏面１２Ｂと紙片１３の裏面１３Ｂとが圧着され、紙片１４の裏面１４Ｂと紙片１５の裏面１５Ｂとが圧着され、紙片１５の表面１５Ａと紙片１６の裏面１６Ａとが圧着される。
【００２１】
ところで、紙片１３の表面１３Ａと紙片１４の表面１４Ａとは、圧着されていない。本実施形態では、紙片１３の表面１３Ａ上に、返信用はがきとして、宛名等の記載１９ｂ及び個人情報等の重要情報の記入欄１７が設けられているためである。また、短辺方向に連結されたシート１０の一方の端部である返信用はがきの紙片１１の裏面１１Ｂの下半分に記入、押印等された重要情報を覆って保護するための情報保護シート１８が設けられている。また、シート１０の他方の端部である往信用はがきの紙片１６の裏面１６Ｂにも、宛名等の記載１９ａが設けられている。
【００２２】
ここで、情報保護シート１８は、再剥離再貼付機能を備えたシートである。この再剥離再貼付機能は、公知の再剥離再貼付剤又は公知の再剥離再貼付層が適用される。例えば、公知のタック紙が備える構造の少なくとも一部を適用することは好適な一例である。
【００２３】
なお、本実施形態の隠蔽はがき１の情報保護シート１８の大きさは、紙片１１の長辺方向（横方向）の長さが約９０ｍｍ（より詳しくは約９３ｍｍ）であり、その短辺方向（縦方向）の長さが約５０ｍｍである。また、情報保護シート１８の位置は、紙片１１の下端から約５ｍｍの間隔を空けて配置され、情報保護シート１８の左右についても、紙片１１の端部からそれぞれ約３ｍｍの間隔が空けられている。このように、情報保護シート１８が各端部から間隔を空けて配置されることにより、使用者の剥離作業の容易化が図られるとともに、再貼付の際に隠蔽はがき１の外縁からはみ出してしまうことが防止される。
【００２４】
また、本実施形態では、重要情報の記入欄１７が、短辺方向に連結されたシート１０の中央２つの紙片１３,１４のうちの返信用はがきの紙片１３の表面１３Ａの下半分に設けられている。また、情報保護シート１８が、短辺方向に連結されたシート１０の一端の返信用はがきの紙片１１の裏面１１Ｂの略下半分を占めるように配置されている。従って、隠蔽はがき１の接着が一旦解かれて展開された後、折り目３１で紙片１１が折り込まれると、情報保護シート１８が重要情報の記入欄１７の直ぐ隣に来ることになり、使用者にとってはすこぶる使い勝手が良い。また、情報保護シート１８が短辺方向に連結されたシート１０の一端の紙片上に配置されることにより、隠蔽はがき１の製造作業を容易にすることができる。
【００２５】
上述の通り、圧着される対象面上に再剥離性粘着剤２０が塗布等によって形成されることにより、両面で１２面となる６つの連結された紙片１１〜１６が、情報保護シート１８を備えた見開き可能な往復はがきとして、極めて薄く一体化される。本実施形態の一体化されたシート１０の厚みは、約０．８ｍｍである。従って、十分に薄い隠蔽はがき１内に多量の情報を記載するスペースが得られるため、重要情報の記入欄１７の拡張のみならず情報保護シート１８の面積も、広告宣伝等の記載量の制限に気を取られることなく増大させることができる。
【００２６】
＜第２の実施形態＞
図５は、第２の実施形態の隠蔽はがき２を示す斜視図である。また、図６は、隠蔽はがき２を展開した状態の表面図であり、図７は、隠蔽はがき２を展開した状態の裏面図である。
【００２７】
第２の実施形態の隠蔽はがき２は、図６及び図７に示すように、シート４０の一方の端に配置される紙片４６の短辺の長さＳ１が、他の紙片１１〜１５の短辺の長さＳ２〜Ｓ６よりも短い点、及び情報保護シート１８の配置を除き、第１の実施形態の隠蔽はがき１と同じ構成である。従って、重複する説明は省略される。
【００２８】
本実施形態のシート４０は、短辺方向に連結される６つの葉書サイズの紙片１１〜１５，及び紙片４６により構成されている。本実施形態の隠蔽はがき２は、図６及び図７に示すように、シート４０の一方の端に配置された紙片４６の短辺の長さＳ１と他の紙片の短片の長さＳ２〜Ｓ６との差により、紙片４６に隣接する紙片１５の端部の一定の領域が露出領域４１となっている。本実施形態では、この露出領域４１の少なくとも一部が、シート１００の端に配置された紙片１１１を剥離する起点を案内する。
【００２９】
また、本実施形態では、第１の実施形態と同様に、重要情報の記入欄１７が、返信用はがきの紙片１３の表面１３Ａの下半分に設けられている。一方、情報保護シート１８が、短辺方向に連結されたシート４０の中央２つの紙片１３，１４のうちの往信用はがきの紙片１４の表面１４Ａの略下半分を占めるように配置されている。第１の実施形態で述べたとおり、紙片１３の表面１３Ａと紙片１４の表面１４Ａは、再剥離性粘着剤２０によって圧着されていない。従って、隠蔽はがき２の接着が解かれて展開される前であっても、情報保護シート１８が重要情報の記入欄１７の直ぐ隣の紙片に配置されているため、使用者にとってはすこぶる使い勝手が良い。また、情報保護シート１８が、再剥離性粘着剤２０によって圧着されていない紙片上に配置されることにより、隠蔽はがき１の製造作業を容易にすることができる。
【００３０】
なお、本実施形態では、前述の露出領域４１を利用して、シート４０の端に配置された紙片４６を剥離する起点を案内しているが、これに限定されない。この露出領域４１の形成による紙片４６と紙片１５との間で生じる段差は、たとえ１片の紙片の厚みが約０．１３ｍｍと薄くても、人間の触感で感じることができる場合がある。従って、上述のような表示に頼らずに、剥離の起点が感知され得る。
【００３１】
特に本実施形態では、紙片４６の長辺全体に至る領域が十分な幅とともに確保されることによって剥離の起点となり得るため、従来の角部のみに剥離の起点が限定されていた隠蔽はがきと比較して、剥離操作をする者の利便性がすこぶる高まる。本実施形態では、前述の幅、換言すれば、紙片４６の短辺の長さＳ１と他の紙片の短片の長さＳ２〜Ｓ６との差は、５ｍｍである。この差は、剥離の操作性及び表示量の充実を図る観点から、１．５ｍｍ以上が好ましい。但し、過度に露出領域４１が広くなると、宛名等の必要な記載ができなくなるため、前述の差は、８ｍｍ以下が好ましい。
【００３２】
勿論、本実施形態の隠蔽はがき２は、紙片１５の露出領域４１内に、表示（「ＯＰＥＮ」の文字及び剥離方向を示す矢印）が設けられているため、剥離操作者が紙片４６を剥離する起点をさらに容易に見出すことができる。すなわち、視覚に訴えることが最も効果的であるから、上記表示の効果は絶大である。さらに、その露出部４１は、紙片４６の剥離の起点の案内のみならず、企業広告等の目立つ図柄や文字を併せて表示することができる。この企業広告等の存在は、剥離操作者に更に強い剥離位置の意識付けとなり得る。
【００３３】
また、上述の各実施形態では、個人情報等の重要情報の記入欄１７が紙片の１つの下半分を占める程度の大きさであったが、これに限定されない。本考案の隠蔽はがきは、片面で６面、両面では１２面もの記入可能なスペースを有しているため、さらに多くの記入欄１７を設けられるとともに、それを全て覆って保護する情報保護シート１８を一体に設けることができる。一般的には、情報保護シート１８が大きすぎると、その分、はがきの記入スペースが削られて広告宣伝等が制限されてしまうため好ましくないが、本考案の隠蔽はがきは、情報保護シート１８の面積の制限を大幅に緩和するものである。
【００３４】
また、本考案の隠蔽はがきは、複数の重要情報の記入箇所を設けた場合であっても適用できる。すなわち、上述の各実施形態において情報記入欄１７が設けられる紙片以外の紙片上に、さらに情報記入欄１７が１個又は複数個設けられるとともに、情報保護シート１８が、その情報記入欄１７の数に応じて隠蔽はがきの一方端又は両端の紙片上及び／又は再剥離性粘着剤によって接着されない２つの紙片の少なくとも一方の紙片上に１個又は複数個設けられることも好ましい一態様である。以下に、第１の実施形態の幾つかの変形例を説明する。
【００３５】
＜第１の実施形態の変形例（１）＞
図８及び図９は、第１の実施形態の一部を変更した他の実施形態を示している。この実施形態の隠蔽はがきのシート５０は、第１の実施形態における情報保護シート１８と第２の実施形態における情報保護シート１８の両方を備えている。従って、この実施形態の隠蔽はがきは、第１の実施形態の効果と第２の実施形態の効果が奏される。
【００３６】
＜第１の実施形態の変形例（２）＞
また、図１０及び図１１は、第１の実施形態の変形例（１）の一部をさらに変更したもう１つの実施形態を示している。この実施形態の隠蔽はがきのシート６０は、第１の実施形態の変形例（１）において、シート６０の中央２つの紙片１３，１４のうちの往信用はがきの紙片１４の表面１４Ａ上に配置されていた情報保護シート１８を、往信用はがきの紙片１６の裏面１６Ｂ上に移動させたものである。従って、使用者は、隠蔽はがきの接着が解かれて展開される前であっても、直ちに複数の情報保護シート１８，１８を見つけることができるため、記入が済んだ情報記入欄１７，１７を覆うのに手間が掛からない。
【００３７】
＜第１の実施形態の変形例（３）＞
さらに、図１２及び図１３は、第１の実施形態の変形例（２）の一部をさらに変更したもう１つの実施形態を示している。この実施形態の隠蔽はがきのシート７０は、個人情報等の重要情報の記入欄１７が、３つの紙片の表面１１Ａ，１２Ａ，１３Ａ上に設けられている。また、情報保護シート１８は、シート７０の中央２つの紙片１３，１４のうちの往信用はがきの紙片１４の表面１４Ａ上及び両端の紙片１１，１６のそれぞれの裏面１１Ｂ，１６Ｂ上に設けられている。従って、使用者は、隠蔽はがきの接着が解かれて展開される前であっても、直ちに複数の情報保護シート１８，１８，１８を見つけることができるため、記入が済んだ情報記入欄１７，１７，１７を覆うのに手間が掛からない。なお、この実施形態では、沢山の機密とすべき情報記入欄１７，１７，１７が設けられた場合であっても、それらを覆って保護するための情報保護シート１８，１８，１８が設けられた上で、十分な記載スペースを残している。従って、この実施形態の隠蔽はがきは、はがきの受領者のみならず、その提供者乃至製造者にとっても大変利便性の高いものである。
【００３８】
上述のとおり、第１の実施形態の幾つかの変形例の隠蔽はがきを採用すれば、複数の情報保護シート１８を設けるだけの十分なスペースがあるため、個人情報等の重要情報を扱うはがきとしての自由度が大きく高められることになる。すなわち、個人情報等の重要情報の記入欄１７が複数個所設けられるとともに、情報保護シート１８がそれぞれの記入欄１７の箇所に応じて複数設けられることにより、それらの隠蔽はがきは、はがきの受領者のみならず、その提供者乃至製造者にとっても使い勝手の良いものとなる。
【００３９】
なお、上述の各実施形態では、圧着によって各紙片が接着されていたが、これに限定されない。その他の公知の接着手段も適用されうる。しかしながら、６つの紙片を極めて薄くなるように一体化させるためには、圧着による接着が最も好ましい。また、上述の幾つかの第１の実施形態の変形例は、第２の実施形態にも適用することが可能である。圧着部分の剥離の容易性等の第２の実施形態の効果を考慮すれば、上述の第１の実施形態の変形例の構成を第２の実施形態に適用することは好ましい一態様であるといえる。以上、述べたとおり、本考案の範囲内に存在する変形例もまた、実用新案登録請求の範囲に含まれるものである。
【産業上の利用可能性】
【００４０】
本考案に係る隠蔽はがきは、機密情報の柔軟且つ適切な保護を実現する葉書として広く利用され得る。
【図面の簡単な説明】
【００４１】
【図１Ａ】本考案の１つの実施形態における隠蔽はがきを示す斜視図である。
【図１Ｂ】図１ＡのＸ部の拡大図である。
【図２】本考案の１つの実施形態における隠蔽はがきを展開した状態の表面図である。
【図３】本考案の１つの実施形態における隠蔽はがきを展開した状態の裏面図である。
【図４】本考案の１つの実施形態における隠蔽はがきを構成するシートの折れ線に折り目が付される状態を示す図である。
【図５】本考案の他の実施形態における隠蔽はがきを示す斜視図である。
【図６】本考案の他の実施形態における隠蔽はがきを展開した状態の表面図である。
【図７】本考案の他の実施形態における隠蔽はがきを展開した状態の裏面図である。
【図８】本考案の他の実施形態における隠蔽はがきを展開した状態の表面図である。
【図９】本考案の他の実施形態における隠蔽はがきを展開した状態の裏面図である。
【図１０】本考案の他の実施形態における隠蔽はがきを展開した状態の表面図である。
【図１１】本考案の他の実施形態における隠蔽はがきを展開した状態の裏面図である。
【図１２】本考案の他の実施形態における隠蔽はがきを展開した状態の表面図である。
【図１３】本考案の他の実施形態における隠蔽はがきを展開した状態の裏面図である。
【符号の説明】
【００４２】
１，２            隠蔽はがき
１０，４０，５０，６０，７０        シート
１１，１２，１３，１４，１５，１６，４６    紙片
１１Ａ，１２Ａ，１３Ａ，１４Ａ，１５Ａ，１６Ａ，４６Ａ    紙片表面
１１Ｂ，１２Ｂ，１３Ｂ，１４Ｂ，１５Ｂ，１６Ｂ，４６Ｂ    紙片裏面
１７              情報記入欄
１８              情報保護シート
１９ａ，１９ｂ    宛名等の記載
２０              再剥離性粘着剤
３１，３２，３３，３４，３５    折り目
４１              露出領域
【図１Ａ】
0003147846.tif 000003
【図１Ｂ】
0003147846.tif 000004
【図２】
0003147846.tif 000005
【図３】
0003147846.tif 000006
【図４】
0003147846.tif 000007
【図５】
0003147846.tif 000008
【図６】
0003147846.tif 000009
【図７】
0003147846.tif 000010
【図８】
0003147846.tif 000011
【図９】
0003147846.tif 000012
【図１０】
0003147846.tif 000013
【図１１】
0003147846.tif 000014
【図１２】
0003147846.tif 000015
【図１３】
0003147846.tif 000016